【手続補正書】
【提出日】平成25年4月5日(2013.4.5)
【手続補正１】
【補正対象書類名】明細書
【補正対象項目名】００６６
【補正方法】変更
【補正の内容】
【００６６】
以上、本発明に関し幾つかの実施形態を参照して詳細に説明したが、それとは異なる構成やそれを改良した構成も本発明の技術的範囲に包含されるので、その点を了解されたい。例えば、諸レンズ素子を形成する素材としては、各種ガラスを含め様々な素材を使用することができる。レンズの実装には様々な手段を使用することができる。光源としては、レーザアレイを初めとするレーザ光源等、様々な光源を使用することができる。光変調器としては、ＤＭＤ、ＬＣＤ、電気機械格子デバイス、その一例たるＧＥＭＳデバイスやＧＬＶデバイス等、多画素型のアレイデバイスを初め、様々なものを使用することができる。赤、緑及び青の三原色を用いる実施形態について説明したが、本発明は、光源や変調器の個数が２個以上又は４個以下の形態でも実施することができる。また、本願にて「システム」「サブシステム」等の語を多用したのは、いわゆる当業者にはご理解頂けるように、本願にて特定のレンズ、特定の部材を例に説明されている構成を、本願で述べたものと同様の機能を有する他の１個又は複数個の部材で置き換えうるからである。例えば、本願では中継サブシステムが主に中継レンズ１８で構成される例を示したが、レンズ１８を複数個のレンズで置き換えることもできる。面２１に中間像２２を発生させることができればよい。同様の理屈は、投射サブシステム２０を初め、本願記載の諸サブシステムに当てはまる。本願にて「システム」「サブシステム」等の語を多用したのは、更に、本願中に図示や説明のない部材を使用してもよいことを示すためでもある。例えば、中継レンズ１８内には、中継レンズ素子Ｌ１以外にも、レンズ実装用ハードウェアや、所要種類の光学被覆等を設けることができる。なお、以下に、付記として本発明の構成の一例を示す。
（付記１）
コヒーレント光を輻射するコヒーレント光源サブシステムと、
上記コヒーレント光を画像データに従い操作する成像サブシステムと、
上記成像サブシステムを経たコヒーレント光から中間像たる空間実像を発生させる中継サブシステムと、
上記中間像が現れる中間像面又はその近傍に配置されたスペックル低減素子と、
上記スペックル低減素子をその素子の光軸に対し平行な方向に沿い運動させる駆動サブシステムと、
上記スペックル低減素子越しに上記中間像を捉えて投射する投射サブシステムと、
を備えるコヒーレント光投射機。
（付記２）
付記１記載のコヒーレント光投射機であって、上記運動が、上記投射サブシステムの焦点奥行き内に収まるコヒーレント光投射機。
（付記３）
付記１記載のコヒーレント光投射機であって、上記運動が、上記中継サブシステムの焦点奥行き内に収まるコヒーレント光投射機。
（付記４）
付記１記載のコヒーレント光投射機であって、上記運動が、上記スペックル低減素子の光軸に対し垂直な方向に沿った運動を伴うコヒーレント光投射機。
（付記５）
付記１記載のコヒーレント光投射機であって、上記成像サブシステムが、複数個の光変調器と、上記コヒーレント光源サブシステムから来る都合複数通りの色成分を共通の光軸上に集めるダイクロイック結合器と、を有するコヒーレント光投射機。
（付記６）
付記１記載のコヒーレント光投射機であって、上記スペックル低減素子が、個別にレンズレット開口を呈するレンズレット複数個で自素子の表面に形成されたレンズレット配列を有し、それらレンズレット開口の全て又はほとんどが、上記中間像面上にある中間像画素以上のサイズを有するコヒーレント光投射機。
（付記７）
付記６記載のコヒーレント光投射機であって、上記レンズレット配列における上記レンズレットの分布がランダム又はほぼランダムなコヒーレント光投射機。
（付記８）
付記６記載のコヒーレント光投射機であって、上記レンズレット配列における上記レンズレットの配列が六角パターン、対角パターン又はそれに近いパターンをなすコヒーレント光投射機。
（付記９）
付記６記載のコヒーレント光投射機であって、上記レンズレット配列の全体又はほぼ全体に亘り上記レンズレットが間隙無しで分布するコヒーレント光投射機。
（付記１０）
付記６記載のコヒーレント光投射機であって、上記レンズレット配列の全体又はほぼ全体に亘り上記レンズレットが間隙を介し分布するコヒーレント光投射機。
（付記１１）
付記６記載のコヒーレント光投射機であって、上記駆動サブシステムが、上記レンズレットの繰返し周期以上の距離に亘り上記スペックル低減素子を面内運動させるコヒーレント光投射機。
（付記１２）
付記６記載のコヒーレント光投射機であって、上記レンズレット配列が、上記スペックル低減素子で捕捉した中間像の４次以下のエネルギ成分を上記投射サブシステムの入射開口内に伝搬させるコヒーレント光投射機。
（付記１３）
付記１記載のコヒーレント光投射機であって、上記成像サブシステムで発生させる初期像のサイズたる第１サイズが、上記中間像のサイズたる第２サイズ未満のコヒーレント光投射機。
（付記１４）
付記１３記載のコヒーレント光投射機であって、上記第２サイズが、１６ｍｍ、３５ｍｍ又は７０ｍｍのフィルムフォーマットと揃うサイズであるコヒーレント光投射機。
（付記１５）
付記１３記載のコヒーレント光投射機であって、上記投射サブシステムが、フィルムバックル補正機能を有するコヒーレント光投射機。
（付記１６）
付記１記載のコヒーレント光投射機であって、上記投射サブシステムがフィルムバックル補正機能を有する一方、上記スペックル低減素子が、当該投射サブシステムによるフィルムバックル補正分を補償する曲面を有するコヒーレント光投射機。
（付記１７）
付記１６記載のコヒーレント光投射機であって、上記曲面を介し上記スペックル投射素子が上記中間像を捕捉するコヒーレント光投射機。
（付記１８）
付記１６記載のコヒーレント光投射機であって、上記曲面を介し上記スペックル投射素子が上記中間像を投射するコヒーレント光投射機。
（付記１９）
付記１記載のコヒーレント光投射機であって、上記中継サブシステムのＦナンバたる第１Ｆナンバが、上記投射サブシステムのＦナンバたる第２Ｆナンバ以上のコヒーレント光投射機。
（付記２０）
付記１９記載のコヒーレント光投射機であって、上記第２Ｆナンバが上記第１Ｆナンバの１／２以上のコヒーレント光投射機。
（付記２１）
付記１記載のコヒーレント光投射機であって、上記中継サブシステムの作動距離たる第１作動距離が、上記投射サブシステムの作動距離たる第２作動距離以上のコヒーレント光投射機。
（付記２２）
付記２１記載のコヒーレント光投射機であって、上記第２作動距離が上記第１作動距離の１／２以上のコヒーレント光投射機。
（付記２３）
コヒーレント光源サブシステムにてコヒーレント光を発生させるステップと、
上記コヒーレント光を画像データに従い成像サブシステムで操作し像を発生させるステップと、
上記成像サブシステムを経たコヒーレント光から中継サブシステムにて中間像たる空間実像を発生させるステップと、
上記中間像が現れる中間像面又はその近傍に配置されたスペックル低減素子越しに当該中間像を捉えるステップと、
上記スペックル低減素子越しに上記中間像が捉えられる際に、駆動サブシステムを用い当該スペックル低減素子をその素子の光軸に対し平行な方向に沿い運動させるステップと、
上記スペックル低減素子越しに上記中間像を捉え投射サブシステムを用い投射するステップと、
を有する光投射方法。
【手続補正２】
【補正対象書類名】特許請求の範囲
【補正対象項目名】全文
【補正方法】変更
【補正の内容】
【特許請求の範囲】
【請求項１】
コヒーレント光を輻射するコヒーレント光源システムと、
画像データに従い前記コヒーレント光と作用する１又は複数の空間光変調器を含む成像システムと、
前記成像システムを経たコヒーレント光から空間実像である中間像を中間像面に形成する中継システムと、
前記中間像面又はその近傍に配置されたスペックル低減素子と、
前記スペックル低減素子越しに前記中間像を捉えて投射する投射システムと、
前記投射システムの光軸に対して平行な方向に前記スペックル低減素子を運動させる駆動システムと、
を備え、
前記スペックル低減素子の運動が、前記中継システム及び前記投射システムの焦点深度内に収まる、
コヒーレント光投射機。
【請求項２】
請求項１記載のコヒーレント光投射機であって、
前記スペックル低減素子は、前記スペックル低減素子の表面に形成されたレンズレット配列を有し、
前記レンズレット配列はそれぞれレンズレット開口を含み、
前記レンズレット開口のサイズは、前記中間像面上にある中間像の画素のサイズ以上である、
コヒーレント光投射機。
【請求項３】
コヒーレント光源システムにてコヒーレント光を発生させるステップと、
１又は複数の空間光変調器を含む成像システムで、画像データに従い前記コヒーレント光と作用することで像を形成するステップと、
前記成像システムを経たコヒーレント光から中継システムにて空間実像である中間像を中間像面に形成するステップと、
前記中間像面又はその近傍に配置されたスペックル低減素子越しに前記中間像を捉えるステップと、
前記スペックル低減素子越しに前記中間像を捉えて投射サブシステムを用いて投射するステップと、
前記スペックル低減素子越しに前記中間像が捉えられる際に、駆動システムを用いて前記投射サブシステムの光軸に対して平行な方向に前記スペックル低減素子を運動させるステップと、
を有し、
前記スペックル低減素子の運動が、前記中継システム及び前記投射サブシステムの焦点深度内に収まる、
光投射方法。